(57)【特許請求の範囲】
【請求項１】
ドア、及びドア枠を有する出入口壁と、
平面視で前記出入口壁に対し垂直に設けられる一方の側壁と、
前記出入口壁に対向する後壁と、
前記一方の側壁と前記後壁の間に設けられ前記一方の側壁及び前記後壁に対し平面視で傾斜する入隅壁と、
前記入隅壁を背に平面視で前後方向が前記後壁及び一方の側壁に傾斜するよう設けられる洋式便器と、
前記洋式便器の幅方向の両側に設けられたアームレスト部を有する一対のサイドサポートと、を備えるサニタリールームであって、
前記一方の側壁側のサイドサポートが洋式便器着座時使用位置と前記一方の側壁に沿う手摺り専用使用位置とを選択可能に水平方向に回動可能に構成されており、
前記ドア枠は、一方の縦枠が前記一方の側壁に隣接するよう設けられ、
前記ドアは、スライドドアからなり、前記一方の縦枠のところから開くよう設けられ、前記ドア枠の一方の縦枠に沿う出入口を形成可能なことを特徴とするサニタリールーム。
【発明の詳細な説明】
【技術分野】
【０００１】
この発明は、主に病院や介護施設に設置されるサニタリールームに関する。
【背景技術】
【０００２】
従来、病院等で用いられるサニタリールームは、施設のスペースを有効利用するために省スペース化が望まれる一方で、サニタリールームの使用時に、介護のしやすさや、被介護者の安全が犠牲にならないよう工夫がなされている。
【０００３】
例えば、特許文献１では、便器の前後方向を平面視正方形の部屋の対角線方向とすることで、室内スペースを節約しながら、便器の左右両側及び前方に介護者用のスペースを確保するトイレが提案されている。
【０００４】
また、特許文献２では、平面視長方形の部屋の一長辺側にドアを設け、ドアから見て、左側にトイレ室を右側にシャワー室を配し、特許文献１同様左奥側の角部から斜めに便器を配置することでトイレ周辺の空間を確保するとともに、部屋の４つの入隅部を斜めに切り取るように入隅壁面を設けて設置スペースを抑制するトイレ・シャワールームが提案されている。
【先行技術文献】
【特許文献】
【０００５】
【特許文献１】特開２００５−２４５５００号公報
【特許文献２】特開２０１３−２８９７８号公報
【発明の概要】
【発明が解決しようとする課題】
【０００６】
しかし、特許文献１のトイレでは、便器に座った被介護者からみて右側の空間がドア側の壁と便器に挟まれて介護者が入りにくいという問題があり、また、入り口わきから便器の方へ回動する手摺り（身体支持バー）が便器と反対側の側壁に設けられているため、被介護者の歩く距離が長いという問題がある。
また、特許文献２に係るトイレ・シャワー室ユニットにおいても、便器側のドア横に入隅壁が設けられているため、便器から見て右側の間隔が狭く、介護者がこの便器右側の空間に入れないばかりでなく、歩行可能な被介護者にとっても便器にアクセスしにくいという問題がある。
本発明は、上記課題に鑑みてなされたものであり、省スペースを図りながら、便器の両側に介護者の入るスペースを確保でき、自力で歩行可能な被介護者が、ドアから便器に容易にアクセス可能なサニタリールームの提供を目的とする。
【課題を解決するための手段】
【０００７】
上記課題を解決するためになされた発明は、ドア、及びドア枠を有する出入口壁と、
平面視で前記出入口壁に対し垂直に設けられる一方の側壁と、前記出入口壁に対向する後壁と、前記一方の側壁と前記後壁の間に設けられ前記一方の側壁及び前記後壁に対し平面視で傾斜する入隅壁と、前記入隅壁を背に平面視で前後方向が前記後壁及び一方の側壁に傾斜するよう設けられる洋式便器と、前記洋式便器の幅方向の両側に設けられたアームレスト部を有する一対のサイドサポートと、を備えるサニタリールームであって、前記一方の側壁側のサイドサポートが洋式便器着座時使用位置と前記一方の側壁に沿う手摺り専用使用位置とを選択可能に水平方向に回動可能に構成されており、前記ドア枠は、一方の縦枠が前記一方の側壁に隣接するよう設けられ、前記ドアは、スライドドアからなり、前記一方の縦枠のところから開くよう設けられ、前記ドア枠の一方の縦枠に沿う出入口を形成可能なことを特徴とすることを特徴とする。
ここで、「ドア」とは、開き戸や引き戸に加えアコーディオン式のドア、カーテン等、出入口を開閉可能な構成をすべて含む概念とし、「出入口」とは、ドアを開放して形成された開口部をいうものとする。また、縦枠が側壁に「隣接する」とは、縦枠の枠内側の面と側壁の内面との距離Ｄ１（図１参照）が、５０ｍｍ以下であることをいうものとする。
【０００８】
本発明に係るサニタリールームは、一方の側壁に隣接するよう設けられたドア枠の一方の縦枠に沿って出入口を設けることができ、一方の側壁側のサイドサポートが洋式便器着座時使用位置から一方の側壁に沿う手摺り専用使用位置に回動できるため、自力で歩行可能な被介護者は、ドア枠の一方の縦枠に沿って開放した出入口から中へ入るとすぐに手摺り専用使用位置にあるサイドサポートにつかまることができるため容易に洋式便器へアクセスできる。
【０００９】
本発明のサニタリールームは、ユニット式であって、前記入隅壁を構成する入隅パネル本体と、前記後壁の前記入隅壁に隣接する側の端部を構成する後壁側屈曲部と、前記一方の側壁の前記入隅壁に隣接する側の端部を構成する一方の側壁側屈曲部とを有する入隅パネルを備えることが好ましい。
【００１０】
ユニット式サニタリールームの壁パネルは、一般にスタッドと呼ばれる柱状部材により連結され、このスタッドには、同一平面内で壁パネルを突き合せて連結する際に使用するいわゆるセンタースタッド（図５符号６参照）と、直角の角部で壁パネルを連結するいわゆるコーナースタッド（図５符号７参照）が汎用されているが、直角以外（例えば、１３５度）の角部に用いるコーナースタッドは汎用されておらず、必要であれば別途形成する必要がある。
【００１１】
しかし、本発明のサニタリールームでは、上述したように、入隅壁用の壁パネルである入隅パネルが、両側部に後壁側屈曲部と一方の側壁側屈曲部とを有するため、隣接する壁パネルとセンタースタッドにより連結でき、入隅壁と後壁のなす角や入隅壁と一方の側壁のなす角に合わせたコーナースタッドを別途形成する必要がない。
【発明の効果】
【００１２】
以上、説明したように、本発明のサニタリールームによれば、省スペース化を図りながら、トイレの両側に介護者の入るスペースを確保できるとともに、自力で歩行可能な被介護者が、ドアからトイレに容易にアクセスできる。
【図面の簡単な説明】
【００１３】
【図１】本発明の第１実施形態に係るサニタリールームを示す平面図である。
【図２】本発明の第１実施形態に係るサニタリールームの天井パネルを示す平面図である。
【図３】図１に示した壁パネルの拡大断面図である。
【図４】図１に示した入隅パネルの（ａ）平面図、（ｂ）要部水平断面図、（ｃ）斜視図である。
【図５】図１に示した後壁の拡大断面図である。
【図６】図１に示したサイドサポートの斜視図である。
【図７】本発明の第２実施形態を示す平面図である。
【発明を実施するための形態】
【００１４】
以下、適宜図面を参照しながら、本発明の実施形態を説明する。ただし、本発明は、以下の実施形態に限定されるものではない。
【００１５】
（第１実施形態）
図１に、本発明の第１実施形態に係るサニタリールーム１００を示す。サニタリールーム１００は、ユニット式であって、防水床パン１と、防水床パン１の周縁に立設される後壁２１、一方の側壁２２、他方の側壁２３、及び入隅壁２４、及び出入口壁２５と、天井パネル５（図２参照）と、センタースタッド６と、コーナースタッド７とによりスケルトンが構成され、一方の側壁２２側に洋式便器３を備えたトイレスペースが設けられ、他方の側壁２３側にシャワースペースが設けられている。後壁２１、一方の側壁２２、他方の側壁２３、及び入隅壁２４は、５枚の壁パネル９及び入隅パネル８により形成され、出入口壁２５は、主にスライドドア（特許請求の範囲の「ドア」）４、及びドア枠４１により形成される。また、洋式便器３の幅方向の両側には、一対のサイドサポート３１，３１が設けられている。
【００１６】
防水床パン１は、平面視における周縁形状が、長方形の角部を斜めに切り取った五角形状をなし、一方の横辺１１、及びこれに対向し最長辺をなす他方の横辺１５と、横辺１１，１５に垂直な一方の縦辺１２、及び他方の縦辺１３と、横辺１１と縦辺１２の間の入隅辺１４とを有している。防水床パン１は、この周縁に５枚の壁パネル９、及び入隅パネル８を立設するための凹部を有している。
【００１７】
後壁２１は、図１及び図５に示すように、防水床パン１周縁の一方の横辺１１上に立設される２枚の壁パネル９と、後述する入隅パネル８の後壁側屈曲部８ｂとからなる。この２枚の壁パネル９、及び壁パネル９と入隅パネル８は、センタースタッド６により連結されている。
【００１８】
一方の側壁２２は、図１に示すように、防水床パン１周縁の一方の縦辺１２上に立設される１枚の壁パネル９と、後述する入隅パネル８の一方の側壁側屈曲部８ｃとからなり、この壁パネル９と入隅パネル８は、センタースタッド６により連結されている。
【００１９】
他方の側壁２３は、防水床パン１周縁の他方の縦辺１３上に立設される２枚の壁パネル９からなり、この２枚の壁パネル９は、センタースタッド６により連結され、後壁２１の壁パネル９と他方の側壁２３の壁パネル９４は、コーナースタッド７により連結されている。
【００２０】
壁パネル９は、図３に示すように、樹脂化粧鋼板やＦＲＰ板等からなる矩形の壁パネル本体９ａの裏面側に石膏ボードや発泡樹脂材等からなる断熱材９ｂが貼着され、断熱材９ｂの裏面側に金属板からなる補強板９ｃがさらに貼着されている。壁パネル本体９ａは、断面が略三角形をなし裏面側へ直角に延出する弾性係止部９ｄを有している。
【００２１】
入隅パネル８は、図４に示すように、入隅壁部８ａと、後壁側屈曲部８ｂと、一方の側壁側屈曲部８ｃとを備えている。入隅壁部８ａは、樹脂化粧鋼鈑等からなる入隅パネル本体８１の中央部８１ａと、中央部８１ａの裏面側に貼着される断熱材８２と、補強板８３とからなる。後壁側屈曲部８ｂ、及び一方の側壁側屈曲部８ｃは、入隅パネル本体８１の両側を、それぞれ、中央部８１ａとのなす角が約１３５度になるよう屈曲して形成されている。後壁側屈曲部８ｂ及び一方の側壁側屈曲部８ｃの先端縁には、上記の弾性係止部９ｄと同様の弾性係止部８ｄが設けられている。尚、図４中符号８ｅは、入隅パネル８の上下端縁を折曲げて形成したリブである。
【００２２】
センタースタッド６は、図５に示すように、金属製の角パイプ状の部材からなり、内壁６ａに長手方向（図５の奥行き方向）に延びるスリットの開口縁を内側に折り返して形成した弾性係合部６ｂを有している。
【００２３】
コーナースタッド７は、図５に示すように、概ねセンタースタッドを軸方向の折線で９０度に折り曲げた形状を有し、入隅角となった内壁７ａの角部に、壁パネル９の弾性係止部９ｄを係合するための一対の弾性係合部７ｂ，７ｂを有している。一対の弾性係合部７ｂ，７ｂは、壁パネル９の弾性係止部９ｄの挿入方向が互いに直行している。
【００２４】
入隅壁パネル８、及び壁パネル９は、図５に示すように、センタースタッド６、コーナースタッド７の弾性係合部６ｂ，７ｂに、その弾性係止部８ｄ，９ｄを係止させることで隣接する壁パネル９に連結される。隣接するパネルの間隙には乾式の目地材６０，７０が嵌入される。
【００２５】
洋式便器３は、入隅壁２４を背にして、入隅壁２４に垂直な方向（後壁２１、一方の側壁２２のそれぞれに平面視で約４５度をなす方向）を前後方向として配設されている。
【００２６】
１対のサイドサポート３１は、図６に示すように、それぞれサイドサポート本体３１１と、アームレスト部材３１２と、支柱取り付け筒部３１３と、支持部材３１４とを備えている。
【００２７】
サイドサポート本体３１１は、手で掴んで体位を保持しやすい太さのパイプを略Ｕ字形に湾曲させて形成され、上側水平部３１１ａ、下側水平部３１１ｂ、及び水平部３１１ａ，３１１ｂの一端同士を湾曲して連結する湾曲連結部３１１ｃを備えている。
また、上側水平部３１１ａと下側水平部３１１ｂは、基端側が支柱取り付け筒部３１３の側方壁に溶接固定されている。
【００２８】
そして、上側水平部３１１ａが手摺りを兼ねるとともに、下側水平部３１１ｂにアームレスト部３１２が支持固定されている。
【００２９】
支持部材３１４は、支柱部３１４ａと、上下１対の壁面固着部３１４ｂとを備え、サイドサポート本体３１１と同様のパイプの両側部を、同方向に湾曲させながら折り曲げて略コ字をしている。
一方の支持部材３１４は、支柱部３１４ａの中心軸が鉛直となるように、壁面固着部３１４ｂが後壁２１の入隅壁２４近傍に固定されている。
他方の支持部材３１４は、支柱部３１４ａの中心軸が鉛直となるように、壁面固着部３１４が一方の側壁２２の入隅壁２４近傍に固定されている。
【００３０】
そして、サイドサポート３１は、支柱取り付け筒部３１３が支持部材３１４の支柱部３１４ａに外嵌され、図１に実線で示す洋式便器着座時使用位置ａと、洋式便器着座時使用位置ａから４５度後壁２１あるいは一方の側壁２２側へ回転した二点鎖線で示す手摺り専用使用位置ｂとの間で回動可能に構成されている。
なお、サイドサポート本体３１１は、洋式便器着座時使用位置ａ、あるいは、手摺り専用使用位置ｂで上方に押し上げられると、回動ロックが解除されて、その状態で水平方向に押す（あるいは引く）と押した方向（あるいは引いた方向）に回動し、洋式便器着座時使用位置ａ、あるいは手摺り専用使用位置ｂまで回動すると、自重で回動ロック状態となるようにされている。
【００３１】
ドア枠４１は、アルミニウム製のサッシ枠からなり、一対の縦枠４１１が、側壁２２，２３に隣接して設けられている。ここで、図１に示したように、一方の縦枠４１１の枠内側の面４１１ａと一方の側壁２２の内面２２ａとの距離Ｄ１（図１参照）は５０ｍｍ以下である。また、一方の縦枠４１１の枠内側の面４１１ａは、図１の二点鎖線Ｌで示すように、手摺り専用使用位置ｂにある一方の側壁２２側のサイドサポート３１のサイドサポート本体３１１より一方の側壁２２寄りに設けられることが好ましい。
【００３２】
スライドドア（ドア）４は、３枚のスライドパネル４２からなり、３枚のスライドパネル４２は、前後に重ねることができ、いずれもドア枠４１の枠内全域をスライドする。
【００３３】
天井パネル５は、図２に示すように、平面視で防水床パン１と略合同な五角形をなし、矩形の天井パネル５１と五角形の天井パネル５２とからなり、五角形に立ち上がる側壁に勘合可能に構成されている。
【００３４】
次に、サニタリールーム１００の効果について説明する。サニタリールーム１００は、防水床パン１及び天井パネル５が五角形をなすことで、入隅壁２４の背後のスペースが、上下方向と、後方、右方に開けているため、これらのいずれの方向へも給廃水管を連結することができる。
【００３５】
また、洋式便器３を後壁２１、及び一方の側壁２２に対し４５度傾斜した方向を前後方向として入隅壁２４に隣接する位置に取り付けたため、洋式便器３の両側のスペースに介護者が入ることができるとともに、トイレ前方のシャワースペースを、被介護者がトイレを利用する際の介護用のスペースとして利用できるため、室内空間を小さくして設置面積を節約できる。  
【００３６】
スライドドア４は、防水床パン１周縁の最長辺である他方の横辺１５上に設けられているため有効開口を大きく確保することができ利用者がより安全に出入りできる。スライドドア４の右側のスライドパネル４２を開けると、一方の側壁２２側の縦枠４１１に沿って出入口を設けることができるため、洋式便器３と一方の側壁２２の間のスペースにスライドドア４の出入口から直接介護者が入ることができる。３枚のスライドパネル４２を全てシャワースペース側の縦枠４１１まで寄せると、洋式便器３の両側のスペースに介護者が入りやすく、被介護者を車いすに乗せたまま洋式便器まで運ぶことができる。また、３枚のスライドパネル４２を全てトイレスペース側の縦枠４１１まで寄せると、シャワースペースにも被介護者を乗せた車いすを搬入することができる。
【００３７】
サイドサポート３１は、壁側に４５度回動して壁に沿った手摺り専横使用位置ｂに移動できるため、歩行可能な被介護者がサイドサポートを手摺りに壁に沿って歩くことができる。
そして、一方の側壁２２側のサイドサポート３１を手摺専用使用位置ｂへ回動させ、ドア枠４１の一方の縦枠４１１に沿って出入口を形成すると、出入口からすぐこのサイドサポート３１に手が届くため、被介護者が手摺りを頼りに容易に便器にアクセスすることができる。
【００３８】
さらに、入隅パネル８の両側部に後壁側屈曲部８ｂ，一方の側壁側屈曲部８ｃを設けたことにより、防水床パン１の入隅辺と横辺又は縦辺のなす角（本実施形態では１３５度）に合わせたスタッドを、別途形成する必要がない。
【００３９】
（第２実施形態）
図７は、本発明の第２実施形態を示している。第２実施形態では、隣接する２つの個室Ｒ１，Ｒ２に、それぞれ本発明にかかるサニタリールーム１００、２００を設置する例を示している。サニタリールーム２００は、サニタリールーム１００に対し左右対称に構成され、ドアから見て左側に入隅壁２２４、一方の側壁２２２及びトイレスペースを備えている。本実施形態では、サニタリールーム１００と、２００とを、互いの後壁２１，２２１を背中合わせにして、隣接する２つの個室Ｒ１，Ｒ２の隔壁Ｗを挟んで面対称に配設している。
【００４０】
また、両個室Ｒ１，Ｒ２の洗面台ＷＳ１，ＷＳ２を両ユニット１００，２００の一方の側壁２２，２２２の裏側で背中合わせに配し、洗面台ＷＳ１，ＷＳ２への配管スペースとサニタリーユニット１００、２００への配管スペースとを１つの配管スペースＳに集約している。こうすることで、建物内のデッドスペースを省略して床面積を有効に利用することができる。
【００４１】
本発明のサニタリールームは、上述した実施形態に限らず、例えば、入隅パネルは、両側部に屈曲部を備えなくともよい。スライドドアの代わりにアコーディオンドアやアコーディオンカーテン、開き戸を用いてもよい。ドア枠の他方の側壁側の縦枠は、他方の縦壁に隣接していなくともよい。サイドサポートはアームレストが手摺りを兼ねてもよい。また、壁パネル、及び入隅パネルと各スタッドとの係合は、上記の構成に限らず、公知の構成を適宜に採用することができる。
【符号の説明】
【００４２】
１００，２００  サニタリールーム
２１  後壁
２２  一方の側壁
２４  入隅壁
２５  出入口壁
３  洋式便器
３１  サイドサポート
３１２  アームレスト部
４  ドア
４１  ドア枠
４１１  縦枠
８  入隅パネル
８ａ  入隅パネル本体
８ｂ  後壁側屈曲部
８ｃ  一方の側壁側屈曲部
ａ  洋式便器着座時使用位置
ｂ  手摺り専用使用位置
【図１】
0006319743.tif 000002
【図２】
0006319743.tif 000003
【図３】
0006319743.tif 000004
【図４】
0006319743.tif 000005
【図５】
0006319743.tif 000006
【図６】
0006319743.tif 000007
【図７】
0006319743.tif 000008